(57)【要約】      （修正有）【課題】フィルタの取付が水平でありながらフィルタ相互間およびフレームとフィルタとのシール性を確実にでき、高所作業時の危険性も軽減できる取付作業を容易に行えるフィルタ取付装置を提供する。【解決手段】フィルタを水平に配置する取付フレーム１とその上方に配置した押えレールからなるフィルタ締付け手段と、フィルタ搬入フレーム８とフィルタ押し込み治具１０、押し込み板からなるフィルタ押し込み手段とからなるフィルタ取付装置である。【選択図】図２
2014097481.tif 000002
【特許請求の範囲】
【請求項１】
フィルタ締付け手段およびフィルタ押し込み手段を備えて、フィルタを水平にした状態で多数列並べて取付け可能にしたことを特徴とするフィルタ取付け装置。
【請求項２】
フィルタ締付け手段は、フィルタを水平に配置するフィルタ取付フレームと、
弾性バネを装着した締付ボルトを適宜個所に取り付け且つフィルタ取付フレームの上方に配置したフィルタ押えレールとからなり、フィルタ押えレールに取付けた締付ボルトをフィルタ取付フレームに形成した取付け穴に差し込み、ナットで締め付け可能にしたことを特徴とする請求項１のフィルタ取付け装置。
【請求項３】
フィルタ押し込み手段は、適宜位置に取付ボルトを固定したフィルタ搬入フレームと、取付ボルトに脱着自在にした脱着穴を形成したフィルタ押し込み治具と、フィルタ押し込み治具に形成したネジ穴に進退自在に嵌挿した操作ハンドルと、この操作ハンドルの先端に固定したフィルタ押し込み板とから構成したことを特徴とする請求項１のフィルタ取付け装置。
【発明の詳細な説明】
【技術分野】
【０００１】
本発明は、フィルタを水平にした状態で多数列並べて取付け可能にしたことを特徴とするフィルタ取付け装置に関するものである。
【背景技術】
【０００２】
各種工業設備に設置される空調システムには、設備内に外気を取り入れて使用する吸気系または設備内で発生したダストを含んだダストガスを清浄化して外気へ排出する排気系があり、それぞれどちらも空気流通路に対し縦型に多数のフィルタが並べられて使用されている。
【０００３】
そして、空気流通路に縦型に多数のフィルタを並べて使用する際には、予め１つ１つのフィルタの寸法に合わせて格子状に形成されたフィルタ取付フレームを設置し、このフィルタ取付フレームにパッキン付きフィルタが１つ１つはめ込まれ、種々の取り付け手段によって固定されている。
【０００４】
しかし、このフィルタは一定期間の使用によって目詰まりを起こすので、定期的に交換する必要があり、１つ１つのフィルタに対して交換作業を行わなければならず、また、その都度工具を必要としているため、特に、フィルタの数が多い場合は、相当な作業時間と人数を必要としている。
【０００５】
特に、フィルタ取付フレームが高所に設けられている場合、高所作業が伴うことから、その取り付け、取り換えに危険を伴う上、作業性も困難を伴っていた。
【０００６】
そこで、フィルタ取付フレームが高所に設けられている場合には、高所作業を伴うことから、そのフィルタの設置方法を縦型設置方法から水平設置方法にすることが望まれていた。
【０００７】
しかし、水平設置方法でフィルタを取付けた場合、フィルタを取り付けるフィルタ取付フレームとフィルタとのシールを確実にする手段が難しく、今まで交換作業を容易にした最適なフィルタの取付方法が考えられなかった。
【発明の概要】
【発明が解決しょうとする課題】
【０００８】
本発明はこのような問題点に鑑みなされたもので、その目的は、フィルタの取付を水平設置できるようにしたものである。
【０００９】
次に、本発明の目的は、水平設置でありながら、フィルタ相互間およびフィルタ取付フレームとのシール性を確実にしたものである。
【００１０】
次に、本発明の目的は、フィルタの取付作業の容易化を図り、交換作業を向上させたものである。
【００１１】
次に、本発明の目的は、高所作業時でも危険性を軽減したものである。
【課題を解決するための手段】
【００１２】
本発明の第１の解決手段は、フィルタ締付け手段およびフィルタ押し込み手段を備えることで、フィルタを水平にした状態で奥に押し込み、多数列並べてフィルタを確実に取り付けることができるようにしたことである。
【００１３】
本発明の第２の解決手段は、フィルタ締付け手段は、フィルタを水平に配置するフィルタ取付フレームと、弾性バネを装着した締付ボルトを適宜個所に取り付け且つフィルタ取付フレームの上方に配置したフィルタ押えレールとから構成し、フィルタ押えレールに取付けた締付ボルトをフィルタ取付フレームに形成した取付け穴に差し込み可能にし、締付ボルトの先端に取り付けたナットで弾性バネを圧縮したり、解除したりしてフィルタ押えレールとフィルタ取付フレームとの間隔を変化し、フィルタを固定したり、開放したりするフィルタ締付け手段を設けたことである。
【００１４】
本発明の第３の解決手段は、適宜位置に取付ボルトを固定したフィルタ搬入フレームと、取付ボルトに脱着自在にした脱着穴を形成したフィルタ押し込み治具と、フィルタ押し込み治具に形成したネジ穴に進退自在に嵌挿した操作ハンドルと、この操作ハンドルの先端に固定したフィルタ押し込み板とから構成したフィルタ押し込み手段を設けたことである。
【００１５】
上記構成により、フィルタをセットする場合、フィルタをフィルタ取付フレームとフィルタ押えレールとの間に水平にした状態で奥へ送り込み、フィルタ
を多数個並べて設置する。
【００１６】
フィルタが設置された後に、フィルタ搬入フレームに固定した取付ボルトにフィルタ押し込み治具の脱着穴を差し込み、フィルタ押し込み治具をフィルタ搬入フレームに固定する。
【００１７】
次に、操作ハンドルを回転し、この操作ハンドルの先端に固定したフィルタ押し込み板で、フィルタを水平にした状態で奥へ送り込みフィルタを押し付けセットする。
【００１８】
この後、操作ハンドルを止めた状態で、フィルタ取付フレームとフィルタ押えレールの間に挿入した締付ボルトに取り付けたナットを締め付けることで、締付ボルトに装着した弾性バネを圧縮して多数のフィルタを締め付けセットする。
【００１９】
このような要領にて、フィルタ締付け手段およびフィルタ押し込み手段を備えることで、フィルタを水平にした状態でフィルタの複数列が全て締め付けられセットされる。
【発明の効果】
【００２０】
上述したように本発明のフィルタ取付け装置は次のような効果がえられる。
（１）フィルタを水平にした状態で配置可能にしたので、高所作業に於ける作業性の危険性並びに作業時間の短縮が図れる。
（２）水平設置でありながら、フィルタ間およびフィルタ取付フレームとのシール性が確実である。
（３）フィルタの取り付け作業が容易で、フィルタ交換作業性が簡単である。
（４）粗粒子ダストがフィルタろ材に付着させる率を少なくしたので、フィルタの寿命の延長が図れる。
（５）常時フィルタろ過面が下向きであるため、湿気を帯びた空気でも、フィルタ面に結露が生じにくく、結露による目詰まりが防止できる。
【図面の簡単な説明】
【００２１】
【図１】フランジタイプのフィルタを示す図。
【図２】フランジタイプのフィルタ取付図。
【図３】図２のＡ−Ａ断面図。
【図４】フィルタ押し込み手段を示す概略図。
【図５】空気流通路にフィルタをセットした場合の全体概略図。
【図６】ボックスタイプのフィルタを示す図。
【発明を実施するための形態】
【００２２】
以下、本発明の実施形態にについて図１〜図５に基づいて説明する。
【実施例１】
【００２３】
フィルタが図１に示すフランジタイプの場合について説明する。１はフィルタ取付フレームで、このフィルタ取付フレーム１上面にはフィルタ
ガイドが形成されており、フィルタ２を水平にした状態で奥に手で送り込まれるようになっている。３はフィルタ押えレールで、フィルタ押えレール３には弾性バネ４を装着させた締付ボルト５が取り付けられ、この締付ボルト５はフィルタ取付フレーム１に形成した取付け穴６に差し込まれている。締付ボルト５の下端にはナット７が螺着されている。
【００２４】
８はフィルタ搬入フレームで、フィルタ搬入フレーム８にはフィルタフランジ
の横寸法より僅かに大きくなる程度の寸法で且つ横方向にセットされたフィルタ列の数より１つ多く取フィルタ付フレーム１が配置されている。
【００２５】
また、フィルタ搬入フレーム８には取付ボルト９が固定され、フィルタ押し込み治具１０の脱着穴１１が差し込まれるようになっている。
【００２６】
さらに、フィルタ押し込み治具１０にはネジ穴１２が形成され、このネジ穴
１２が操作ハンドル１３に進退自在に嵌挿されている。
【００２７】
さらに、操作ハンドル１３の先端にはフィルタ押し込み板１４が固定されている。
【００２８】
以上のように構成されたフィルタの取付け装置は次のように動作する。
【００２９】
まず、フィルタ取付フレーム１上面に設けたフィルタガイドに沿ってフィルタ２の上下のフィルタフランジを水平にした状態で奥に手で送り込む。次のフィルタ２も同様にフィルタフランジを水平にした状態で奥に手で送り込み、先に挿入したフィルタ２に当接するまで送り込む。これを繰り返して、1列をセッ
トする。完了後、隣の列も前記同様にして、フィルタ２の上下のフィルタフランジを水平にした状態で奥に手で送り込みセットする。
【００３０】
次に、フィルタ押し込み治具１０の脱着穴１１をフィルタ搬入フレーム８の取付ボルト９に差し込み、取付ボルト９先端に取り付けたナット１５を締め付けて、フィルタ押し込み治具１０をフィルタ搬入フレーム８に固定する。
【００３１】
フィルタ押し込み治具１０をフィルタ搬入フレーム８に固定した後、操作ハンドル１３を回転しフィルタ押し込み板１４をフィルタ側へ前進させ、フィルタ押し込み板１４でフィルタを押し付け、フィルタ相互間のシールを確実にする。
【００３２】
このようにして、各列のセットが完了した後、締付ボルト５下端に螺着した
ナット７を締め付けることにより、フィルタ取付フレーム１とフィルタ押さえレール３間に配置したフィルタ２のフィルタフランジを締め付け取り付ける。これによりフィルタ２を取付フィルタ付フレーム１に確実に取り付けることができる。
【００３３】
次に、フィルタ押し込み治具１０のネジ穴１２に嵌挿した操作ハンドル１３を逆回転させ、操作ハンドル１３の先端に固定したフィルタ押し込み板１４を後退させ、フィルタ２相互間が開放される。この後、取付ボルト９の先端に締め付けたナットを取付ボルト９から外し、操作ハンドルと共にフィルタ押し込み治具１０をフィルタ搬入フレーム８から取り外す。
【００３４】
以上のようにして、図５に示すように空調システムの空気流通路に各フィルタ
２が取り付けられ、外気あるいはダストガスの清浄に供される。
【００３５】
一定期間の使用によって、フィルタ２が目詰まりを起こした場合は、フィルタ
２の交換を行うが、この場合、まず締付ボルト５下端に螺着したナット７を緩める。これにより、フィルタ取付フレーム１とフィルタ押さえレール３間に配置したフィルタ２のフィルタフランジの締め付けは解除される。
【００３６】
これにより、フィルタ搬入フレーム８より、手で取り出しコンベア-などを利用して、運搬車などに直接積載して廃棄できる。
【００３７】
使用済みのフィルタ２を除去した後、上記の場合と同様にして新しいフィルタ２を取り付けて固定する。
【００３８】
この結果、多数配列されるフィルタ２を水平に設置可能にすると共にフィルタ２の取付が工具なしで簡単にできるようになり、フィルタ２の交換作業効率が大幅に向上する。
【００３９】
実施例１ではフィルタのフィルタフランジを締め付け取り付けるようにした例を述べたが、図６に示すようなボックスタイプのフィルタを使用した場合実施例１の締付ボルト５と締付ボルト５に装着した弾発バネの寸法を長くすることで、フィルタ２を水平に複数列締め付け取付可能にしたものである。
以上のように、本発明は前記実施形態そのままに限定されるものでなく、実施段階ではその要旨を逸脱しない範囲で構成要件を種々変更しても何ら本発明の要旨を変更するものではない。
【産業上の利用可能性】
【００４０】
空調用フィルタを扱っている業界においては、吸気口や排気口が高い場所にあっては、フィルタの取付、取り換えに危険伴い、さらに、取付、取り換え作業に困難を伴う上、作業時間も長くかかってしまい、水平に設置できる確実な方法を望んでいた。そこで本発明者は種々の工夫を重ね、フィルタを水平に設置できる好ましいフィルタの取付け装置を提供しょうとしたもので本発明は産業上極めて利用価値の高いものである。
【符号の説明】
【００４１】
１・・・フィルタ取付フレーム      ２・・・フィルタ      
３・・・フィルタ押えレール      ４・・・弾性バネ        
５・・・締付ボルト          ６・・・取付け穴      ７・・・ナット  
８・・・フィルタ搬入フレーム    ９・・・取付ボルト  
１０・・・フィルタ押し込み治具    １１・・・脱着穴      
１２・・・ネジ穴      １３・・・操作ハンドル  
１４・・・フィルタ押し込み板      １５・・・取り付けたナット
【図１】
2014097481.tif 000003
【図２】
2014097481.tif 000004
【図３】
2014097481.tif 000005
【図４】
2014097481.tif 000006
【図５】
2014097481.tif 000007
【図６】
2014097481.tif 000008